(57)【特許請求の範囲】
【請求項１】
第一の色を有する第一の光を発する第一の発光素子と、第二の色を有する第二の光を発する第二の発光素子と、前記第一の発光素子及び前記第二の発光素子を搭載する回路基板と、前記第一の光が入射する第一の入光面及び前記第二の光が入射する第二の入光面を有する導光部材と、を備えた照明装置であって、
前記導光部材は、前記第一の発光素子の光軸上に配置され前記第一の入光面から入射した前記第一の光を反射させる第一の反射面と、前記第二の発光素子の光軸上に配置され前記第二の入光面から入射した前記第二の光を反射させる第二の反射面と、を有すると共に、
前記第一の反射面は、前記回路基板に対して第一の角度を有し、前記第二の反射面は、前記回路基板に対して前記第一の角度とは異なる第二の角度を有し、
前記第一の入光面は、第一の曲率を有する曲面からなり、前記第二の入光面は、前記第一の曲率とは異なる第二の曲率を有する曲面からなることを特徴とする照明装置。
【請求項２】
前記第一の反射面は、前記第一の光を前記第一の発光素子と前記第二の発光素子との配列方向に反射させ、前記第二の反射面は、前記第二の光を前記配列方向に反射させることを特徴とする請求項１に記載の照明装置。
【発明の詳細な説明】
【技術分野】
【０００１】
本発明は、発光素子が発した光を導光部材によって被照明部材に導く照明装置に関するものである。
【背景技術】
【０００２】
従来より、被照明部材（表示板，液晶表示パネル等）に照明光を照射する照明装置が種々提案されており、例えば特許文献１に開示されている。斯かる照明装置は、導光部材を介して、発光ダイオード等の発光素子が発した光にて、被照明部材を透過照明するものである。このような照明装置において、発光色が異なる複数の発光素子を用いれば、複数色の照明光を照射することができる。
【先行技術文献】
【特許文献】
【０００３】
【特許文献１】特開２００７−５２０３２号公報
【発明の概要】
【発明が解決しようとする課題】
【０００４】
しかしながら、発光色が異なる各発光素子が発した照明光の混合が不充分なために、被照明部材に色ムラが生じる虞があった。例えば、赤色発光素子及び緑色発光素子を用いた場合、赤色発光素子に近い箇所は赤色が濃く、緑色発光素子に近い箇所は緑色が濃くなり、赤色と緑色の混合色で均一に照明することができないという問題を有していた。
本発明は、この問題に鑑みなされたものであり、色ムラが生じる虞を低減できる照明装置を提供するものである。
【課題を解決するための手段】
【０００５】
本発明は、請求項１に記載のように、第一の色を有する第一の光Ｌ１を発する第一の発光素子１１と、第二の色を有する第二の光Ｌ２を発する第二の発光素子１２と、前記第一の発光素子１１及び前記第二の発光素子１２を搭載する回路基板２０と、前記第一の光Ｌ１が入射する第一の入光面８１ａ及び前記第二の光Ｌ２が入射する第二の入光面８１ｂを有する導光部材３０，８０と、を備えた照明装置であって、前記導光部材３０，８０は、前記第一の発光素子１１の光軸上に配置され前記第一の入光面８１ａから入射した前記第一の光Ｌ１を反射させる第一の反射面３１ｄと、前記第二の発光素子１２の光軸上に配置され前記第二の入光面８１ｂから入射した前記第二の光Ｌ２を反射させる第二の反射面３１ｅと、を有すると共に、前記第一の反射面３１ｄ，８１ｄは、前記回路基板２０に対して第一の角度Ａ１，Ａ４を有し、前記第二の反射面３１ｅ，８１ｅは、前記回路基板２０に対して前記第一の角度Ａ１，Ａ４とは異なる第二の角度Ａ２、Ａ５を有し、前記第一の入光面３１ａ，８１ａは、第一の曲率を有する曲面からなり、前記第二の入光面３１ｂ，８１ｂは、前記第一の曲率とは異なる第二の曲率を有する曲面からなるものである。
【０００６】
また、本発明は、請求項２に記載のように、前記第一の反射面３１ｄ，８１ｄは、前記第一の光Ｌ１を前記第一の発光素子１１と前記第二の発光素子１２との配列方向に反射させ、前記第二の反射面３１ｅ，８１ｅは、前記第二の光２を前記配列方向に反射させるものである。
【発明の効果】
【０００９】
第一の反射面の傾斜角度と、第二の反射面の傾斜角度とを異ならせたことにより、色ムラを低減できる。
【図面の簡単な説明】
【００１０】
【図１】本発明の第一実施形態を示す断面図。
【図２】同上実施形態を示す要部拡大図。
【図３】同上実施形態を示す半値角の説明図。
【図４】本発明の第二実施形態を示す断面図。
【図５】同上実施形態を示す要部拡大図。
【発明を実施するための形態】
【００１１】
以下、添付図面に基づいて、本発明の一実施形態を説明する。図１及び図２は、第一実施形態を示す図である。照明装置は、発光素子１１，１２，１３，硬質回路基板（回路基板）２０，導光体（導光部材）３０を備えている。
【００１２】
発光素子（第一の発光素子）１１は、トップビュー型の赤色発光ダイオードからなるものであり、赤色光（第一の光）Ｌ１を発する。発光素子（第二の発光素子）１２は、トップビュー型の緑色発光ダイオードからなるものであり、緑色光（第二の光）Ｌ２を発する。発光素子（第三の発光素子）１３は、トップビュー型の白色発光ダイオードからなるものであり、白色光（第三の光）Ｌ３を発する。
【００１３】
３個の発光素子１１，１２，１３は、列状に配置され、硬質回路基板２０に搭載されている。発光素子１１，１２，１３は、硬質回路基板２０に搭載された駆動回路（図示しない）によって、個別にオン／オフさせることができる。例えば、発光素子１１，１２，１３のうちの任意の１個のみを点灯させ、他の２個を消灯させることもできるし、発光素子１１，１２，１３のうちの任意の２個を点灯させ、他の１個を消灯させることもできる。また、３個の発光素子１１，１２，１３を同時に点灯させることもできる。
【００１４】
導光体３０は、アクリル，ポリカーボネート等の透光性樹脂からなるものであり、ケース４０に保持されている。導光体３０は、発光素子１１，１２，１３が発した赤色光Ｌ１，緑色光Ｌ２，白色光Ｌ３を受光する受光部３１と、表示板５０を透過照明する照明部３２とを備えている。
【００１５】
導光体３０の受光部３１は、入光面（第一の入光面）３１ａ，入光面（第二の入光面）３１ｂ，入光面（第三の入光面）３１ｃ，反射面（第一の反射面）３１ｄ，反射面（第二の反射面）３１ｅ，反射面（第三の反射面）３１ｆ，反射面３１ｋ等を有している。
【００１６】
受光部３１の入光面３１ａは、所定の曲率半径Ｒ１を有する球面になっており、発光素子１１が発した赤色光Ｌ１が入射する。受光部３１の入光面３１ｂは、所定の曲率半径Ｒ２を有する球面になっており、発光素子１２が発した緑色光Ｌ２が入射する。受光部３１の入光面３１ｃは、所定の曲率半径Ｒ３を有する球面になっており、発光素子１３が発した白色光Ｌ３が入射する。
【００１７】
発光素子１１は、半値角が角度Ｂ１である指向特性を有しており、発光素子１１の光軸は、入光面３１ａの光軸に一致している。発光素子１２は、半値角が角度Ｂ２である指向特性を有しており、発光素子１２の光軸は、入光面３１ｂの光軸に一致している。発光素子１３は、半値角が角度Ｂ３である指向特性を有しており、発光素子１３の光軸は、入光面３１ｃの光軸に一致している。
【００１８】
なお、図３に示すように、「半値角」とは、発光素子１１，１２，１３の指向特性Ｓが光軸Ｆ上の光度の半分になる角度Ｅである。
【００１９】
受光部３１の反射面３１ｄは、発光素子１１の光軸上に配置されており、入光面３１ａから入射した赤色光Ｌ１を反射面３１ｋに向けて反射させる。受光部３１の反射面３１ｄは、硬質回路基板２０に対して所定角度Ａ１を有する平面になっている。導光体３０の反射面３１ｅは、発光素子１２の光軸上に配置されており、入光面３１ｂから入射した緑色光Ｌ２を反射面３１ｋに向けて反射させる。導光体３０の反射面３１ｅは、硬質回路基板２０に対して所定角度Ａ２を有する平面になっている。導光体３０の反射面３１ｆは、発光素子１３の光軸上に配置されており、入光面３１ｃから入射した白色光Ｌ３を反射面３１ｋに向けて反射させる。導光体３０の反射面３１ｆは、硬質回路基板２０に対して所定角度Ａ３を有する平面になっている。
【００２０】
受光部３１の反射面３１ｄと反射面３１ｅとは、連結面３１ｇにて連結されている。受光部３１の反射面３１ｅと反射面３１ｆとは、連結面３１ｈにて連結されている。
【００２１】
導光体３０の照明部３２は、側面視でＬ字形状になっており、受光部３１の反射面３１ｋで反射された赤色光Ｌ１，緑色光Ｌ２，白色光Ｌ３を、更に、反射面３２ｂで反射させて、表示板５０を透過照明する。照明部３２の後面には、反射面３２ｂで反射された赤色光Ｌ１，緑色光Ｌ２，白色光Ｌ３を拡散させる微細な溝部３２ｃが形成されている。
【００２２】
第一実施形態によれば、発光素子１１，１２，１３が発した赤色光Ｌ１，緑色光Ｌ２，白色光Ｌ３を、各々傾斜角度が異なる反射面３１ｄ，３１ｅ，３１ｆにて、３個の発光素子１１，１２，１３の配列方向に反射させることによって、赤色光Ｌ１，緑色光Ｌ２，白色光Ｌ３を混合させることができる。
【００２３】
また、受光部３１の入光面３１ａ，３１ｂ，３１ｃは、発光素子１１，１２，１３の指向特性に応じた曲率を有するため、受光部３１から入射できない光を低減でき、表示板５０を高輝度で照明することができる。
【００２４】
図４及び図５は、第二実施形態を示す図である。照明装置は、発光素子１１，１２，１３，硬質回路基板２０，導光体（導光部材）８０を備えている。
【００２５】
発光素子１１は、トップビュー型の赤色発光ダイオードからなるものであり、赤色光Ｌ１を発する。発光素子１２は、トップビュー型の緑色発光ダイオードからなるものであり、緑色光Ｌ２を発する。発光素子１３は、トップビュー型の白色発光ダイオードからなるものであり、白色光Ｌ３を発する。３個の発光素子１１，１２，１３は、列状に配置され、硬質回路基板２０に搭載されている。
【００２６】
導光体８０は、アクリル，ポリカーボネート等の透光性樹脂からなるものであり、ケース９０に保持されている。導光体８０は、発光素子１１，１２，１３が発した赤色光Ｌ１，緑色光Ｌ２，白色光Ｌ３を受光する受光部１と、表示板５０を透過照明する照明部８２とを備えている。
【００２７】
導光体８０の受光部３１は、入光面（第一の入光面）８１ａ，入光面（第二の入光面）８１ｂ，入光面（第三の入光面）８１ｃ，反射面（第一の反射面）８１ｄ，反射面（第二の反射面）８１ｅ，反射面（第三の反射面）８１ｆを有している。
【００２８】
受光部８１の入光面３１ａは、所定の曲率半径Ｒ４を有する球面になっており、発光素子１１が発した赤色光Ｌ１が入射する。受光部３１の入光面３１ｂは、所定の曲率半径Ｒ４を有する球面になっており、発光素子１２が発した緑色光Ｌ２が入射する。受光部３１の入光面３１ｃは、所定の曲率半径Ｒ４を有する球面になっており、発光素子１３が発した白色光Ｌ３が入射する。
【００２９】
受光部８１の反射面８１ｄは、硬質回路基板２０に対して所定角度Ａ１を有しており、入光面８１ａから入射した赤色光Ｌ１を照明部８２に向けて反射させる。導光体８０の反射面８１ｅは、硬質回路基板２０に対して所定角度Ａ２を有しており、入光面８１ｂから入射した緑色光Ｌ２を照明部８２に向けて反射させる。導光体８０の反射面８１ｆは、硬質回路基板２０に対して所定角度Ａ３を有しており、入光面３１ｃから入射した白色光Ｌ３を照明部８２に向けて反射させる。
【００３０】
受光部８１の反射面８１ｄと反射面８１ｅとは、連結面８１ｇにて連結されている。受光部８１の反射面８１ｅと反射面８１ｆとは、連結面８１ｈにて連結されている。
【００３１】
導光体８０の照明部８２は、側面視で略楔形状になっており、受光部８１の反射面８１ｄ，８１ｅ，８１ｆで反射された赤色光Ｌ１，緑色光Ｌ２，白色光Ｌ３にて、表示板９０を透過照明する。照明部８２の後面には、反射面８１ｄ，８１ｅ，８１ｆで反射された赤色光Ｌ１，緑色光Ｌ２，白色光Ｌ３を拡散させる微細な溝部８２ｃが形成されている。
【００３２】
第二実施形態によれば、発光素子１１，１２，１３が発した赤色光Ｌ１，緑色光Ｌ２，白色光Ｌ３を、各々傾斜角度が異なる反射面８１ｄ，８１ｅ，８１ｆにて、３個の発光素子１１，１２，１３の配列方向に反射させることによって、赤色光Ｌ１，緑色光Ｌ２，白色光Ｌ３を混合させることができる。
【００３３】
本発明は、第一，第二実施形態に限定されるものではなく、種々の変形が可能である。例えば、第一，第二実施形態は、表示板５０を透過照明するものであったが、導光体３０，８０の照明部３２，８２を視認するものであっても良い。
【符号の説明】
【００３４】
１１    発光素子（第一の発光素子）
１２    発光素子（第二の発光素子）
２０    硬質回路基板（回路基板）
３０    導光体（導光部材）
３１ａ  入光面（第一の入光面）
３１ｂ  入光面（第二の入光面）
３１ｄ  反射面（第一の反射面）
３１ｅ  反射面（第二の反射面）
８０    導光体（導光部材）
８１ａ  入光面（第一の入光面）
８１ｂ  入光面（第二の入光面）
８１ｄ  反射面（第一の反射面）
８１ｅ  反射面（第二の反射面）
Ｌ１    赤色光（第一の光）
Ｌ２    緑色光（第二の光）
Ａ１    所定角度（第一の角度）
Ａ２    所定角度（第二の角度）
Ａ４    所定角度（第一の角度）
Ａ５    所定角度（第二の角度）
【図１】
0005780087.tif 000002
【図２】
0005780087.tif 000003
【図３】
0005780087.tif 000004
【図４】
0005780087.tif 000005
【図５】
0005780087.tif 000006